(57)【要約】【課題】本発明はアンテナパターンがケースに埋め込まれる電子装置及びその製造方法に関する。【解決手段】本発明の一実施例によるアンテナパターンがケースに埋め込まれる電子装置は、ケースの内部に埋め込まれて信号を送受信するアンテナパターン部が形成される放射体、前記ケースから離隔されたメインボードと前記放射体間の信号をマッチングさせるマッチング部、前記放射体と前記マッチング部の電気的に連結するために一面に形成された接続パッドを備えるスマートカードと、一端部は前記放射体に連結されて前記ケースの内部に埋め込まれ、他端部はケースの底面から突出されて前記放射体と前記マッチング部が電気的に連結されるように前記接続パッドに弾性接触する連結部材を含むことができる。【選択図】図１
2012039596.tif 000002
【特許請求の範囲】
【請求項１】
ケースの内部に埋め込まれて信号を送受信するアンテナパターン部が形成される放射体と、
前記放射体が送受信する信号をマッチングさせるマッチング部、及び前記放射体と前記マッチング部とを電気的に連結するために一面に形成された接続パッドを備えるスマートカードと、
一端部は前記放射体に連結されて前記ケースの内部に埋め込まれ、他端部はケースの底面から突出されて前記放射体と前記マッチング部が電気的に連結されるように前記接続パッドに弾性接触する連結部材と
を含む電子装置。
【請求項２】
前記放射体と前記連結部材の一端部が前記ケースの内部に埋め込まれるようにする放射体フレームをさらに含むことを特徴とする請求項１に記載の電子装置。
【請求項３】
前記放射体フレームは高透磁率の磁性体成分または高誘電率の誘電体成分を含むポリマ−セラミック複合材からなることを特徴とする請求項２に記載の電子装置。
【請求項４】
前記放射体フレームの一面を覆い、前記アンテナパターン部が前記放射体フレームとの間に埋め込まれるようにするケースフレームをさらに含むことを特徴とする請求項２または３に記載の電子装置。
【請求項５】
前記放射体フレームは、
前記連結部材の一側面に接触し、前記放射体フレームの前記アンテナパターン部が形成された一面の反対面から突出される放射体支持部と、
前記連結部材の他側面に接触して形成され、前記連結部材が前記放射体支持部から離脱するのを防止する補強部と
を含むことを特徴とする請求項２から４の何れか１項に記載の電子装置。
【請求項６】
前記連結部材は、
前記アンテナパターン部の一端から下向きに屈曲延長される連結部と、
前記連結部の前記アンテナパターン部の一端に連結された端部の反対端部から側面に屈曲延長され、前記接続パッドに弾性接触する屈曲部が形成された連結端子部と
を含むことを特徴とする請求項１から５の何れか１項に記載の電子装置。
【請求項７】
前記連結部材は、前記アンテナパターン部とは別の部材からなることを特徴とする請求項１から６の何れか１項に記載の電子装置。
【請求項８】
前記連結部材はＣ−クリップまたはポゴピン（Ｐｏｇｏ−ｐｉｎ）からなることを特徴とする請求項７に記載の電子装置。
【請求項９】
前記アンテナパターン部は、前記スマートカードにＲＦＩＤ（Ｒａｄｉｏ−Ｆｒｅｑｕｅｎｃｙ  ＩＤｅｎｔｉｆｉｃａｔｉｏｎ）、ＮＦＣ（Ｎｅａｒ  Ｆｉｅｌｄ  Ｃｏｍｍｕｎｉｃａｔｉｏｎｓ）またはＷＩＦＩ（ｗｉｒｅｌｅｓｓ  ｌａｎ）機能を遂行させる低周波用アンテナであることを特徴とする請求項１から８の何れか１項に記載の電子装置。
【請求項１０】
前記アンテナパターン部は、前記スマートカードにＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）またはＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）機能を遂行させる高周波用アンテナであることを特徴とする請求項１から８の何れか１項に記載の電子装置。
【請求項１１】
信号を送受信するアンテナパターン部が形成される放射体と、
一端部は前記放射体に連結されてケースの内部に埋め込まれ、他端部はケースの底面から突出される連結部材と、
前記放射体と前記連結部材の一端部が前記ケースの内部に埋め込まれるように形成され、前記連結部材が弾性を有するように前記連結部材の他端部と離隔され、前記アンテナパターン部が形成された一面の反対面から突出される放射体支持部を備える放射体フレームと、
前記放射体が送受信する信号をマッチングさせるマッチング部、及び前記連結部材の他端部と接続する接続パッドを備えるスマートカードと
を含む電子装置。
【請求項１２】
前記放射体フレームの一面を覆い、前記アンテナパターン部が前記放射体フレームとの間に埋め込まれるようにするケースフレームをさらに含むことを特徴とする請求項１１に記載の電子装置。
【請求項１３】
前記連結部材は、
前記アンテナパターン部の一端から下向きに屈曲延長され、一側面が前記放射体支持部に接触される連結部と、
前記連結部の前記アンテナパターン部の一端に連結された端部の反対端部から側面に屈曲延長され、前記接続パッドに弾性接触する屈曲部が形成された連結端子部と
を含むことを特徴とする請求項１１または１２に記載の電子装置。
【請求項１４】
信号を送受信するアンテナパターン部が形成される放射体に連結部材の一端部を連結する段階と、
前記連結部材が連結された前記放射体を放射体フレームの製造金型内の一面に接触するように配置し、前記放射体フレームの製造金型内に樹脂材を充填して放射体フレームを製造する段階と、
前記放射体フレームをケースの製造金型内に配置し、前記ケースの製造金型内に樹脂材を充填して前記放射体が内部に埋め込まれた前記ケースを製造する段階と、
前記放射体が送受信する信号をマッチングさせるマッチング部を含むスマートカードの一面に形成された接続パッドに前記連結部材の他端部を接続させる段階と
を含む電子装置の製造方法。
【請求項１５】
前記連結部材の他端部を側面に屈曲させ、前記接続パッドに弾性接触する屈曲部を形成する段階をさらに含むことを特徴とする請求項１４に記載の電子装置の製造方法。
【請求項１６】
前記放射体フレームを製造する段階は、
前記放射体フレームの製造金型内に形成された受容溝に前記連結部材を配置し前記受容溝に樹脂材を充填して、前記連結部材の一側面に放射体支持部を形成し、前記連結部材の他側面に補強部を形成することを特徴とする請求項１４または１５に記載の電子装置の製造方法。
【請求項１７】
前記連結部材の他端部に樹脂材が充填されないよう、前記連結部材の他端部を前記受容溝の底面に形成された充填防止穴に配置することを特徴とする請求項１６に記載の電子装置の製造方法。
【発明の詳細な説明】
【技術分野】
【０００１】
本発明は、アンテナパターンがケースに埋め込まれる電子装置及びその製造方法に関する。
【背景技術】
【０００２】
無線通信を支援する携帯電話、ＰＤＡ、ナビゲーション、ノート型コンピュータなどの移動通信端末機は現代社会になくてはならない重要な装置である。上記移動通信端末機には技術の発展に伴い、ＲＦＩＤ（Ｒａｄｉｏ−Ｆｒｅｑｕｅｎｃｙ  ＩＤｅｎｔｉｆｉｃａｔｉｏｎ）、ＮＦＣ（Ｎｅａｒ  Ｆｉｅｌｄ  Ｃｏｍｍｕｎｉｃａｔｉｏｎｓ）、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、ＧＰＲＳ（Ｇｅｎｅｒａｌ  Ｐａｃｋｅｔ  Ｒａｄｉｏ  Ｓｅｒｖｉｃｅ）、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＷＩＦＩ（ｗｉｒｅｌｅｓｓ  ｌａｎ）などの様々な機能が加わる傾向にあり、これらの機能を可能にする最も重要な部品の一つがアンテナである。
【０００３】
このような機能を移動通信端末機に具現するためには、メイン回路基板上にマッチング回路を具現し、各機能に応じた周波数帯域で動作できるようにアンテナを設計し、上記メイン回路基板とアンテナを連結する方法を考慮しなければならない。
【０００４】
ところが、マッチング回路の位置やアンテナの連結構造は移動通信端末機ごとにそれぞれ異なって設計されるため、このような機能を付加するためにアンテナを設計すると、汎用性が低くなり、アンテナ性能を確保するためにＦＰＣＢアンテナに適用された高価な磁性体シートによって製造コストが上昇する。
【０００５】
また、メイン回路基板上に上記マッチング回路のための空間を予め確保しなければならず、メイン回路基板の空間活用度が低下するという問題がある。
【発明の概要】
【発明が解決しようとする課題】
【０００６】
本発明は上記した従来技術の問題点を解決するためになされたもので、その目的は、多様な機能を具現するためのマッチング回路をＵＳＩＭカードのようなスマートカードに設計し、アンテナとマッチング回路の連結部材をアンテナに形成することによって、メイン回路基板の設計を変更することなく、上記機能を全ての装置に共通に具現できる電子装置及びその製造方法を提供することにある。
【課題を解決するための手段】
【０００７】
本発明の一実施例によるアンテナパターンがケースに埋め込まれる電子装置は、ケースの内部に埋め込まれて信号を送受信するアンテナパターン部が形成される放射体と、上記ケースから離隔されたメインボードと上記放射体間の信号をマッチングさせるマッチング部、上記放射体と上記マッチング部の電気的に連結するために一面に形成された接続パッドを備えるスマートカードと、一端部は上記放射体に連結されて上記ケースの内部に埋め込まれ、他端部はケースの底面から突出されて上記放射体と上記マッチング部が電気的に連結されるように上記接続パッドに弾性接触する連結部材とを含むことができる。
【０００８】
また、本発明の一実施例によるアンテナパターンがケースに埋め込まれる電子装置は、上記放射体と上記連結部材の一端部が上記ケースの内部に埋め込まれるようにする放射体フレームをさらに含むことができる。
【０００９】
また、本発明の一実施例によるアンテナパターンがケースに埋め込まれる電子装置において、上記放射体フレームは、高透磁率の磁性体成分または高誘電率の誘電体成分を含むポリマ−セラミック複合材からなることができる。
【００１０】
また、本発明の一実施例によるアンテナパターンがケースに埋め込まれる電子装置は、上記放射体フレームの一面を覆い、上記アンテナパターン部が上記放射体フレームとの間に埋め込まれるようにするケースフレームをさらに含むことができる。
【００１１】
また、本発明の一実施例によるアンテナパターンがケースに埋め込まれる電子装置において、上記放射体フレームは、上記連結部材の一側面に接触し、上記放射体フレームの上記アンテナパターン部が形成された一面の反対面から突出される放射体支持部と、上記連結部材の他側面に接触して形成され、上記連結部材が上記放射体支持部から離脱するのを防止する補強部とを含むことができる。
【００１２】
また、本発明の一実施例によるアンテナパターンがケースに埋め込まれる電子装置において、上記連結部材は、上記アンテナパターン部の一端から下向きに屈曲延長される連結部と、上記連結部の上記アンテナパターン部の一端に連結された端部の反対端部から側面に屈曲延長され、上記接続パッドに弾性接触する屈曲部が形成された連結端子部とを含むことができる。
【００１３】
また、本発明の一実施例によるアンテナパターンがケースに埋め込まれる電子装置において、上記連結部材は上記アンテナパターン部とは別の部材からなることができる。
【００１４】
ここで、上記連結部材は、Ｃ−クリップまたはポゴピン（Ｐｏｇｏ−ｐｉｎ）からなることができる。
【００１５】
また、本発明の一実施例によるアンテナパターンがケースに埋め込まれる電子装置において、上記アンテナパターン部は、上記スマートカードにＲＦＩＤ（Ｒａｄｉｏ−Ｆｒｅｑｕｅｎｃｙ  ＩＤｅｎｔｉｆｉｃａｔｉｏｎ）、ＮＦＣ（Ｎｅａｒ  Ｆｉｅｌｄ  Ｃｏｍｍｕｎｉｃａｔｉｏｎｓ）またはＷＩＦＩ（ｗｉｒｅｌｅｓｓ  ｌａｎ）機能を遂行させる低周波用アンテナであることができる。
【００１６】
また、本発明の一実施例によるアンテナパターンがケースに埋め込まれる電子装置において、上記アンテナパターン部は、上記スマートカードにＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）またはＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）機能を遂行させる高周波用アンテナであることができる。
【００１７】
一方、本発明の他の実施例によるアンテナパターンがケースに埋め込まれる電子装置は、信号を送受信するアンテナパターン部が形成される放射体と、一端部は上記放射体に連結されて上記ケースの内部に埋め込まれ、他端部はケースの底面から突出される連結部材と、上記放射体と上記連結部材の一端部が上記ケースの内部に埋め込まれるように形成され、上記連結部材が弾性を有するように上記連結部材の他端部と離隔され、上記アンテナパターン部が形成された一面の反対面から突出される放射体支持部を備える放射体フレームと、上記ケースから離隔されたメインボードと上記放射体間の信号をマッチングさせるマッチング部、上記連結部材の他端部と接続する接続パッドを備えるスマートカードとを含むことができる。
【００１８】
また、本発明の他の実施例によるアンテナパターンがケースに埋め込まれる電子装置において、上記放射体フレームの一面を覆い、上記アンテナパターン部が上記放射体フレームとの間に埋め込まれるようにするケースフレームをさらに含むことができる。
【００１９】
また、本発明の他の実施例によるアンテナパターンがケースに埋め込まれる電子装置において、上記連結部材は上記アンテナパターン部の一端から下向きに屈曲延長され、一側面が上記放射体支持部に接触される連結部と、上記連結部の上記アンテナパターン部の一端に連結された端部の反対端部から側面に屈曲延長され、上記接続パッドに弾性接触する屈曲部が形成された連結端子部とを含むことができる。
【００２０】
他の側面において、本発明の一実施例によるアンテナパターンがケースに埋め込まれる電子装置の製造方法は、信号を送受信するアンテナパターン部が形成される放射体に連結部材の一端部を連結する段階と、上記連結部材が連結された上記放射体を放射体フレームの製造金型内の一面に接触するように配置し、上記放射体フレームの製造金型内に樹脂材を充填して放射体フレームを製造する段階と、上記放射体フレームを上記ケースの製造金型内に配置し、上記ケースの製造金型内に樹脂材を充填して上記放射体が内部に埋め込まれた上記ケースを製造する段階と、メインボードと上記放射体間の信号をマッチングさせるマッチング部を含むスマートカードの一面に形成された接続パッドに上記連結部材の他端部を接続させる段階とを含むことができる。
【００２１】
また、本発明の一実施例によるアンテナパターンがケースに埋め込まれる電子装置の製造方法は、上記連結部材の他端部を側面に屈曲させ、上記接続パッドに弾性接触する屈曲部を形成する段階をさらに含むことができる。
【００２２】
また、本発明の一実施例によるアンテナパターンがケースに埋め込まれる電子装置の製造方法において、上記放射体フレームを製造する段階は、上記放射体フレームの製造金型内に形成された受容溝に上記連結部材を配置し上記受容溝に樹脂材を充填して、上記連結部材の一側面に放射体支持部を形成し、上記連結部材の他側面に補強部を形成できる。
【００２３】
また、本発明の一実施例によるアンテナパターンがケースに埋め込まれる電子装置の製造方法において、上記連結部材の他端部に樹脂材が充填されないよう、上記連結部材の他端部を上記受容溝の底面に形成された充填防止穴に配置できる。
【発明の効果】
【００２４】
本発明による電子装置及びその製造方法によると、メイン回路基板の設計を変更することなく、多様な機能を全ての装置に共通に具現できる。
【００２５】
また、メイン回路基板にマッチング回路のための空間やアンテナと連結させる連結部材のための空間を設ける必要がなく、メイン回路基板の空間活用度が高くなるという利点が得られる。
【図面の簡単な説明】
【００２６】
【図１】本発明の第１実施例による電子装置である移動通信端末機を部分切開して示した概略分解斜視図である。
【図２】本発明の第１実施例による電子装置である移動通信端末機のケースとＵＳＩＭカードの結合断面図である。
【図３】本発明の第１実施例による電子装置である移動通信端末機のＵＳＩＭカードの構成図である。
【図４】本発明の第１実施例による電子装置である移動通信端末機の放射体と連結部材を示す斜視図である。
【図５】本発明の第１実施例による電子装置である移動通信端末機の放射体フレームの斜視図である。
【図６】本発明の第２実施例による電子装置の放射体フレームの断面図である。
【図７】本発明の第３実施例による電子装置の放射体フレームの断面図である。
【図８】本発明の第１実施例による電子装置の放射体フレームの断面図である。
【図９ａ】図８における放射体フレームの製造方法を示す工程図である。
【図９ｂ】図８における放射体フレームの製造方法を示す工程図である。
【図９ｃ】図８における放射体フレームの製造方法を示す工程図である。
【図１０ａ】本発明の第１実施例によるアンテナパターンが内部に埋め込まれた電子装置のケースの断面図である。
【図１０ｂ】図１０ａのケースを製造するためにケースの製造金型に樹脂材が充填される様子を示した概略断面図である。
【発明を実施するための形態】
【００２７】
以下では、図面を参照し本発明の具体的な実施例を詳細に説明する。但し、本発明の思想は提示される実施例に制限されず、本発明の思想を理解する当業者は同一の思想の範囲内で他の構成要素を追加、変更、削除等を通じて退歩的な他の発明や本発明の思想の範囲内に含まれる他の実施例を容易に提案することができ、これも本願発明の思想の範囲内に含まれる。
【００２８】
また、各実施例の図面に示す同一または類似する思想の範囲内で機能が同一または類似する構成要素は、同一または類似する参照符号を用いて説明する。
【００２９】
図１は、本発明の第１実施例による電子装置である移動通信端末機を部分切開して示した概略分解斜視図であり、図２は、上記移動通信端末機のケースとＵＳＩＭカードの結合断面図であり、図３は、上記ＵＳＩＭカードの構成図であり、図４は、上記移動通信端末機の放射体と連結部材を示す斜視図であり、図５は、上記移動通信端末機の放射体フレームの斜視図である。
【００３０】
図１から図５を参照すると、本発明の第１実施例による電子装置である移動通信端末機１００は、アンテナパターン部を含む放射体２１０が埋め込まれた上部ケース１２０と、本体を受容する下部ケース１４０と、本体の一面に装着されたスマートカード３００とを含むことができる。
【００３１】
図１及び図２に示すように、放射体フレーム２００にアンテナパターン部が形成された放射体２１０と、上記アンテナパターン部を電気的に連結するための連結部材２２０の一部が埋め込まれており、上記放射体フレーム２００によって上記放射体２１０が上部ケース１２０の内部に埋め込まれるように形成されている。
【００３２】
上記上部ケース１２０は、上記放射体フレーム２００の一面を覆い、上記放射体２１０が上記放射体フレーム２００との間に埋め込まれるようにするケースフレーム１２２からなる。
【００３３】
上記放射体フレーム２００は、連結部材２２０が一端に連結された放射体２１０をインサート射出成形して形成され、高透磁率の磁性体成分を含むポリマ−セラミック複合材からなることができる。
【００３４】
このとき、連結部材２２０の一側面には放射体支持部２３２が接触して形成され、他側面には上記連結部材２２０が上記放射体支持部２３２から離脱するのを防止する補強部２３４が接触して形成されることができる。
【００３５】
本実施例では放射体２１０を別個に製作し、連結部材２２０とインサート射出成形によって放射体フレーム２００を形成する方法について説明しているが、本発明は、これに限らず、胴体部２３０の一面に導電性物質を塗布し固形化して放射体２１０を形成することで、上記放射体２１０の一端に連結部材２２０を取り付けてもよい。
【００３６】
このとき、上記放射体２１０は、上記胴体部２３０上にスパッタリング（ｓｐｕｔｔｅｒｉｎｇ）、プリンティング（ｐｒｉｎｔｉｎｇ）、メッキ（ｐｌａｔｉｎｇ）、スタンピング（ｓｔａｍｐｉｎｇ）、ドローイング（ｄｒａｗｉｎｇ）及びディスペンシング（ｄｉｓｐｅｎｓｉｎｇ）のうち、少なくとも１つを選択した方法により形成できる。
【００３７】
また、上記胴体部２３０は、放射体支持部２３２と補強部２３４の間に、上記連結部材２２０が上記放射体２１０に連結されるように挿入される挿入溝が形成されることができる。即ち、上記連結部材２２０の連結部２２２が上記挿入溝に挿入され、一側面が上記放射体支持部２３２に、他側面が上記補強部２３４にそれぞれ接触するように形成できる。  
【００３８】
図３に示すように、スマートカード３００は、ＩＣチップ３１０、マッチング回路３２０及び上記連結部材２２０が接続する接続部材３３０を含むことができる。
【００３９】
スマートカード３００は、保存機能、演算機能及び保安機能を有するように、マイクロプロセッサ、運営体制、保安モジュール、メモリなどが搭載されたＩＣチップ３１０が挿入され、通信、金融、教育、行政、交通といった社会全分野における情報の記録、身元確認、決済などの手段として広く使用されるプラスチックカードであり、移動通信端末機加入者確認モジュール用のスマートカードとしては、ＳＩＭ（Ｓｕｂｓｃｒｉｂｅｒ  Ｉｄｅｎｔｉｔｙ  Ｍｏｄｕｌｅ）カード、ＵＳＩＭ（Ｕｎｉｖｅｒｓａｌ  Ｓｕｂｓｃｒｉｂｅｒ  Ｉｄｅｎｔｉｔｙ  ｍｏｄｕｌｅ）カード、ＵＩＭ（Ｕｓｅｒ  Ｉｄｅｎｔｉｔｙ  Ｍｏｄｕｌｅ）カードなどが挙げられる。
【００４０】
ＩＣチップ３１０はプラスチック材料からなる基板に実装され、マイクロプロセッサ、運営体制、保安モジュール、メモリなどが搭載され、基板の上面には上記ＩＣチップ３１０を電気的に連結するための接触端子パッドが形成できる。  
【００４１】
マッチング回路３２０は、インピーダンス及びコンデンサの組み合わせからなり、パイ（π）型またはティー（Ｔ）型を成して互いに直列／並列に連結される。マッチング回路３２０は、移動通信端末機１００から離隔されたメインボードを有する外部装置から送信され、上記アンテナパターン部により受信される受信信号を移動通信端末機１００の本体またはスマートカード３００に適した受信信号にマッチングさせる。また、移動通信端末機１００の本体またはスマートカード３００の送信信号をアンテナパターン部に適した送信信号にマッチングさせる。
【００４２】
接続パッド３３０は、上記アンテナパターン部を含む放射体２１０と上記マッチング回路３２０を電気的に連結するよう、上記放射体２１０の一端部に連結された連結部材２２０が弾性接触できる。
【００４３】
図４及び図５に示すように、放射体フレーム２００は、信号を送信または受信するアンテナパターン部を含む放射体２１０、上記放射体２１０の一端部に連結されて上記信号を移動通信端末機１００の本体またはスマートカード３００と送信または受信させる連結部材２２０と、上記放射体２１０と上記連結部材２２０が上部ケース１２０に埋め込まれるようにする胴体部２３０とを備えることができる。
【００４４】
上記放射体２１０は、アルミニウムや銅などの導電材からなり、多様な帯域の外部信号を受信するためにメアンダライン（Ｍｅａｎｄｅｒ  ｌｉｎｅ）を成すアンテナパターン部を含むことができる。
【００４５】
上記アンテナパターン部は、上記スマートカードにＲＦＩＤ（Ｒａｄｉｏ−Ｆｒｅｑｕｅｎｃｙ  ＩＤｅｎｔｉｆｉｃａｔｉｏｎ）、ＮＦＣ（Ｎｅａｒ  Ｆｉｅｌｄ  Ｃｏｍｍｕｎｉｃａｔｉｏｎｓ）またはＷＩＦＩ（ｗｉｒｅｌｅｓｓ  ｌａｎ）機能を遂行させる低周波用アンテナであることができる。
【００４６】
一方、上記アンテナパターン部は上記スマートカードにＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）またはＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）機能を遂行させる高周波用アンテナであってもよい。
【００４７】
上記連結部材２２０は、放射体２１０の一部を屈曲、フォーミング（ｆｏｒｍｉｎｇ）、ドローイング（ｄｒａｗｉｎｇ）加工して形成でき、一端部は上記放射体２１０に連結されて上記上部ケース１２０の内部に埋め込まれ、他端部は上部ケース１２０の底面から突出されて形成されることができる。
【００４８】
上記連結部材２２０は、上記放射体２１０の一端から下向きに屈曲延長される連結部２２２と、上記連結部２２２の上記放射体２１０の一端に連結された端部の反対端部から側面に屈曲延長された連結端子部２２４とを含むことができる。
【００４９】
上記連結部２２２は、容易に屈曲できるように上記放射体支持部２３２及び上記補強部２３４より長く形成され、上記連結部２２２の上記反対端部は上記放射体支持部２３２及び上記補強部２３４から離隔されることができる。
【００５０】
上記連結端子部２２４は、上記接続パッド３３０に弾性接触するように形成された屈曲部２２６を含むことができる。上記屈曲部２２６は、上記連結端子部２２４を上向きに屈曲して形成され、上記屈曲部２２６により上記連結部材２２０と上記接続パッド３３０の接続が確実に行われることができる。  
【００５１】
上記胴体部２３０は、上記連結部２２２の一側面に接触し、上記胴体部２３０の上記アンテナパターン部が形成された一面の反対面から突出される放射体支持部２３２と、上記連結部２２２の他側面に接触して形成され、連結部材２２０が上記放射体支持部２３２から離脱するのを防止する補強部２３４とを含むことができる。
【００５２】
上記放射体支持部２３２は、上記連結部２２２を堅固に支持でき、上記連結端子部２２４が上記接続パッド３３０に弾性接続する時に、過度な弾性によって上記連結部２２２側に過度の反りが生じ接触不良をおこすのを防止できる。
【００５３】
図６は、本発明の第２実施例による電子装置の放射体フレームの断面図である。
【００５４】
図６に示す本発明の第２実施例による電子装置の放射体フレームは、連結部材の変更例を示したものであり、それ以外の構成は図１及び図２に示した本発明の第１実施例による電子装置と実質的に同様であるため、これらの構成に対する詳細な説明は省略し、以下では相違点を中心に説明する。
【００５５】
図６を参照すると、本発明の第２実施例による電子装置の放射体フレーム４００は、信号を送信または受信するアンテナパターン部を含む放射体４１０と、上記放射体４１０の一端部に連結され、上記信号を電子装置の本体またはスマートカードと送信または受信させる連結部材４２０と、上記放射体４１０と上記連結部材４２０が電子装置のケースに埋め込まれるようにする胴体部４３０とを備えることができる。
【００５６】
上記連結部材４２０は、放射体４１０の露出面と反対面に取り付けられる先端部４２８と、上記先端部４２８の一端から下向きに屈曲延長される連結部４２２と、上記連結部４２２の上記先端部４２８の一端に連結された端部の反対端部から側面に屈曲延長された連結端子部４２４とを含むことができる。
【００５７】
本実施例による連結部材４２０は、放射体４１０と面接触により取り付けられる先端部４２８を備えることで、放射体４１０と連結部材４２０が確実に接着できる。
【００５８】
本実施例による連結部材４２０の例としてはＣ−クリップ（Ｃ−Ｃｌｉｐ）などがある。
【００５９】
図７は、本発明の第３実施例による電子装置の放射体フレームの断面図である。
【００６０】
図７に示した本発明の第３実施例による電子装置の放射体フレームは連結部材の変更例を示したものであり、それ以外の構成は図１及び図２に示した本発明の第１実施例による電子装置と実質的に同様であるため、これらの構成に対する詳細な説明は省略し、以下では相違点を中心に説明する。
【００６１】
図７を参照すると、本発明の第３実施例による電子装置の放射体フレーム５００は、信号を送信または受信するアンテナパターン部を含む放射体５１０と、上記放射体５１０に連結され、上記信号を電子装置の本体またはスマートカードと送信または受信させる連結部材５２０と、上記放射体５１０と上記連結部材５２０が電子装置のケースに埋め込まれるようにする胴体部５３０とを備えることができる。
【００６２】
上記連結部材５２０は、放射体５１０の露出面の反対面に取り付けられ、上記放射体５１０に取り付けられる端部と反対端部においてスマートカードの接続パッドに弾性接触するピン部５２４と、上記ピン部５２４が挿入されるハウジング部５２２とを含むことができる。
【００６３】
上記ピン部５２４は、バネ部材で形成され、上記反対端部は尖った形状からなり、電子装置の上部及び下部ケースの結合力により上記ハウジング部５２２の内部に収縮しながら上記接続パッドに接続できる。
【００６４】
本実施例による連結部材５２０の例としてはポゴピン（Ｐｏｇｏ−Ｐｉｎ）などがある。
【００６５】
以下では、本発明の第１実施例による電子装置である移動通信端末機を製造する方法について説明する。
【００６６】
まず、本発明の好ましい製造方法を概略的に説明すると、アンテナパターン部を形成して放射体を製造し、上記放射体に連結部材を連結し、インサート射出成形して放射体フレームを製作する。その後、上記放射体フレームをインサート射出成形して電子装置の上部ケースを完成し、上記上部ケースと下部ケースを結合し、上記連結部材をスマートカードの接続パッドに弾性接触して接続させることで本発明による電子装置が完成される。
【００６７】
図８は、本発明の第１実施例による電子装置の放射体フレームの断面図であり、図９ａから図９ｃは、図８における放射体フレームの製造方法を示す工程図であり、図１０ａは、本発明の第１実施例によるアンテナパターンが内部に埋め込まれた電子装置のケースの断面図であり、図１０ｂは、図１０ａのケースを製造するためにケースの製造金型に樹脂材が充填される様子を示した概略断面図である。
【００６８】
図９ａから図９ｃを参照すると、信号を送受信するアンテナパターン部が形成される放射体２１０に連結部材２２０の一端部を連結し、これを放射体フレームの製造金型６００内に配置する。
【００６９】
上記放射体フレームの製造金型６００は、上記放射体２１０のアンテナパターン部が形成された面が接触配置される上部金型６１０と、内部に樹脂材が充填される下部金型６２０を含む。
【００７０】
上記下部金型６２０は、樹脂材が充填される内部空間６３０を含み、上記内部空間６３０の底面には放射体支持部２３２及び補強部２３４を形成するための受容溝６５０が形成できる。
【００７１】
また、上記受容溝６５０の底面には、連結部材２２０の連結端子部２２４を形成するための部分に樹脂材が充填されないように上記連結部材２２０の一部が挿入される充填防止穴６２２が形成されることができる。
【００７２】
上記充填防止穴６２２は、上記受容溝６５０の底面から上記下部金型６２０の厚さ方向に貫通して形成できる。本実施例では、上記充填防止穴６２２が上記下部金型６２０を貫通して形成され、上記連結部材２２０の連結端子部２２４が形成される一部が上記充填防止穴６２２を通過して上記下部金型６２０の下部から突出するように配置されることを説明したが、本発明はこれに限らず、上記連結部材２２０の一部が上記下部金型６２０の下部で突出しなくてもよく、上記充填防止穴６２２が上記下部金型６２０を貫通しなくてもよい。このとき、上記下部金型６２０は、上記連結部材２２０の長さより大きい厚さを有する必要がある。
【００７３】
上記上部金型６１０と上記下部金型６２０に放射体２１０と連結部材２２０が配置されて合型されたら、図９ａに示すように、上記上記上部金型６１０と上記下部金型６２０の合型により形成された内部空間６３０に樹脂材を注入口６４０より充填する。
【００７４】
樹脂材の充填によって放射体支持部２３２及び補強部２３４を含む胴体部２３０が形成されたら、図９ｂに示すように、上記放射体フレームの製造金型６００から放射体フレーム２００を分離する。
【００７５】
図９ｃに示すように、連結部材２２０の放射体支持部２３２によって支持されない部分を側面方向に屈曲して連結端子部２２４を形成し、上記連結端子部２２４の自由端部を上向きに屈曲して接続パッド３３０に弾性接触する屈曲部２２６を形成することによって、図８に示した放射体フレーム２００が完成される。
【００７６】
このとき、連結端子部２２４の弾性変更を考慮して、連結部２２２が上記放射体支持部２３２から離隔されるように屈曲することが好ましく、上記連結部２２２と直角よりは鈍角を成すように傾斜して屈曲することが好ましい。
【００７７】
ここで、上記樹脂材は、上記放射体２１０の放射効率が向上されるよう、高透磁率の磁性体または高誘電率の誘電体成分を含むポリマ−セラミック複合材からなることができる。  
【００７８】
本実施例では、連結部材２２０を屈曲しない状態で射出成形して放射体フレーム２００を製造した後、連結部材２２０を２次屈曲して連結端子部２２４を形成することを説明したが、本発明は、これに限らず、上記連結部材２２０を屈曲して連結端子部２２４を形成した後、放射体フレームの製造金型６００に配置して射出成形してもよい。
【００７９】
具体的には、上記連結部材２２０を側面方向に垂直に１次屈曲して連結端子部２２４を形成し、上記連結端子部２２４の自由端部を上向きに２次屈曲して屈曲部２２６を形成して上記下部金型６２０の受容溝６５０の底面及び側面に接触するように配置し、樹脂材を充填した後放射体フレーム２００を分離し、連結端子部２２４を放射体支持部２３２から分離されるように弾性変更させて放射体フレーム２００を完成してもよい。  
【００８０】
次に、図１０ｂを参照し、上記放射体フレーム２００をインサート射出成形して電子装置の上部ケース１２０を製造する工程について説明する。
【００８１】
図１０ｂに示すように、上記放射体フレーム２００を上記上部ケースの製造金型７００内に配置し、上記上部ケースの製造金型７００内に樹脂材を充填して上記放射体２１０が内部に埋め込まれた上記上部ケース１２０を製造できる。
【００８２】
上部ケースの製造金型７００は、ケースフレーム１２２を形成する樹脂材が充填される内部空間７３０が形成された上部金型７１０と、上記放射体フレーム２００が配置される内部空間が形成された下部金型７２０とを含む。
【００８３】
上記下部金型７２０は、上記放射体フレーム２００が配置されるように放射体支持部２３２及び補強部２３４を含む胴体部２３０の形状と実質的に同様の形状の内部空間を有する。即ち、上記下部金型７２０の底面には放射体支持部２３２及び補強部２３４が受容される受容溝７５０が形成できる。
【００８４】
また、上記受容溝７５０の底面には、連結部材２２０の連結端子部２２４を形成するための部分に樹脂材が充填されないよう、上記連結部材２２０の一部が挿入される充填防止穴７２２が形成できる。
【００８５】
上記下部金型７２０に放射体フレーム２００を配置して上部金型７１０を合型した後、上記合型により形成された内部空間７３０に樹脂材を注入口７４０より注入し、樹脂材が上記放射体フレーム２００の一面を覆うように充填する。このように樹脂材で充填された部分はケースフレーム１２２を構成するようになる。
【００８６】
樹脂材の充填が完了すると、上部ケースの製造金型７００から上記放射体フレーム２００が埋め込まれた上部ケース１２０を分離し、上述したように、連結部材２２０を屈曲して連結端子部２２４を形成することによって、図１０ａに示した上部ケース１２０が完成される。
【００８７】
次に、メイン回路基板が装着された本体と上記本体の一面に取り付けられたスマートカードが受容された下部ケース１４０と上記上部ケース１２０を結合して、上記連結端子部２２４と接続パッド３３０を接続する。
【００８８】
上部ケース１２０と下部ケース１４０の結合時、接続パッド３３０と屈曲部２２６の位置を整列して結合しなければならず、このときに発生する結合力により連結端子部２２４が弾性変更しながら上記接続パッド３３０に弾性接触することによって、連結端子部２２４と接続パッド３３０が接続される。  
【００８９】
一方、本実施例では放射体の一部を屈曲、フォーミング（ｆｏｒｍｉｎｇ）、ドローイング（ｄｒａｗｉｎｇ）加工して形成することを説明したが、本発明は、これに限らず、放射体と連結部材をそれぞれ別個に製作して互いに取り付けてもよい。
【００９０】
また、本実施例では放射体と連結部材をインサート射出成形して放射体フレームを製作することを説明したが、本発明は、これに限らず、放射体フレームに導電性物質を直接スパッタリング、プリンティング、メッキ、スタンピング、ドローイング及びディスペンシングなどの方法により塗布することによって形成されてもよい。
【００９１】
また、本実施例では放射体フレームをインサート射出成形して上部ケースを製造することを説明したが、本発明は、これに限らず、上記放射体フレームをケースフレームの一面に取り付けて形成してもよく、要求される条件及び設計仕様によって多様に変更できる。
【００９２】
本発明は添付された図面に示す実施例に基づいて説明されたが、これは単なる例示的なものに過ぎず、当該分野における通常の知識を有した者にとってこれより種々たる変形及び均等な他の実施例が可能であることは明らかである。例えば、本発明において、放射体フレームに放射体支持部や補強部を形成する構成は単なる例示であり、放射体フレームに放射体支持部や補強部を形成しなくてもよく、放射体支持部や補強部のいずれかを形成してもよい。よって、本発明の真の技術的保護範囲は請求範囲により決まるべきである。
【符号の説明】
【００９３】
１００  移動通信端末機
１２０  上部ケース
１４０  下部ケース
２００、４００、５００  放射体フレーム
２１０、４１０、５１０  放射体
２２０、４２０、５２０  連結部材
２３０、４３０、５３０  胴体部
３００  スマートカード
３１０  ＩＣチップ
３２０  マッチング回路
３３０  接続パッド
６００  放射体フレームの製造金型
７００  上部ケースの製造金型
【図１】
2012039596.tif 000003
【図２】
2012039596.tif 000004
【図３】
2012039596.tif 000005
【図４】
2012039596.tif 000006
【図５】
2012039596.tif 000007
【図６】
2012039596.tif 000008
【図７】
2012039596.tif 000009
【図８】
2012039596.tif 000010
【図９ａ】
2012039596.tif 000011
【図９ｂ】
2012039596.tif 000012
【図９ｃ】
2012039596.tif 000013
【図１０ａ】
2012039596.tif 000014
【図１０ｂ】
2012039596.tif 000015